(57)【要約】      （修正有）【課題】子どもに対する訴求効果の大きい靴下を提供する。【解決手段】靴下本体部１１と、靴下本体部１１の上面部１２に設けられた装飾部１３とを有する靴下１０において、装飾部１３は内部に空洞部を有する袋状に形成され、空洞部には発音体が収容されている。【選択図】図１
0003206791.tif 000002
【実用新案登録請求の範囲】
【請求項１】
靴下本体部と、前記靴下本体部の上面部に設けられた装飾部とを有する靴下において、前記装飾部は内部に空洞部を有する袋状に形成され、前記空洞部には発音体が収容されていることを特徴とする靴下。
【請求項２】
前記発音体は複数の球状部材により構成され、前記複数の球状部材は互いにこすれ合うことにより音を発生させることを特徴とする請求項１記載の靴下。
【請求項３】
前記球状部材は合成樹脂製のビーズであることを特徴とする請求項２記載の靴下。
【請求項４】
前記装飾部はぬいぐるみとして形成され、前記靴下本体部の足指部の上面部近傍に配設されていることを特徴とする請求項１記載の靴下。
【請求項５】
子ども用靴下として構成されていることを特徴とする請求項１〜４のいずれか一項に記載の靴下。
【考案の詳細な説明】
【技術分野】
【０００１】
本考案は、靴下に係り、特に装飾性に優れた子ども用の靴下に関するものである。
【背景技術】
【０００２】
従来より、靴下に刺繍等により装飾を施すことが行われている。また、例えば、特許文献１には、装飾体の自由度を高め、装飾体の着脱を可能にした靴下が開示されている。
しかしながら、子ども用の靴下にあっては、見た目、すなわち視覚的な装飾もさることながら、その他の感覚、特に、聴覚に訴えることができる靴下が求められていた。
本件実用新案登録出願人は、このような観点から先行技術調査を行ったが、前記要請を満たす技術を発見できなかった。
【特許文献１】実用新案登録第３１７４２９６号公報
【考案の開示】
【考案が解決しようとする課題】
【０００３】
本考案は、以上のような従来からの不具合を解消するためのものであって、その課題は、子どもに対する訴求効果の大きい靴下を提供することにある。
【課題を解決するための手段】
【０００４】
前記課題を解決するために、請求項１に記載の考案にあっては、靴下本体部と、前記靴下本体部の上面部に設けられた装飾部とを有する靴下において、前記装飾部は内部に空洞部を有する袋状に形成され、前記空洞部には発音体が収容されていることを特徴とする。
【０００５】
従って、前記装飾部の前記空洞部に収容された前記発音体から音が発生する。
【０００６】
請求項２に記載の考案にあっては、前記発音体は複数の球状部材により構成され、前記複数の球状部材は互いにこすれ合うことにより音を発生させることを特徴とする。
【０００７】
従って、前記複数の球状部材が互いにこすれ合うことによって音が発生する。
【０００８】
請求項３に記載の考案にあっては、前記球状部材は合成樹脂製のビーズであることを特徴とする。
【０００９】
従って、前記球状部材は合成樹脂製のビーズにより構成される。
【００１０】
請求項４に記載の考案にあっては、前記装飾部はぬいぐるみとして形成され、前記靴下本体部の足指部の上面部近傍に配設されていることを特徴とする。
【００１１】
従って、前記装飾部はぬいぐるみとして、前記靴下本体部の足指部の上面部近傍に配設され、前記足指部において前記装飾部の内部から音が発生する。
【００１２】
請求項５に記載の考案にあっては、子ども用靴下として構成されていることを特徴とする。
【考案の効果】
【００１３】
請求項１〜５に記載の靴下にあっては、前記装飾部の前記空洞部に収容された前記発音体から音が発生するので、前記装飾部としての視覚的な訴求効果に加え、音による聴覚的な訴求効果も得られる。
また、請求項１〜５に記載の靴下にあっては、前記発音体は前記装飾部の内部に設けられた前記空洞部に収容されているので、前記発音体が前記装飾部から露出するといった事態を防止することができる。その結果、靴下の外観品質を向上させることができ、特に子ども用靴下として構成した場合には、子どもに対する訴求効果の大きい靴下を提供することができる。
【００１４】
請求項２及び３に記載の靴下にあっては、前記複数の球状部材が互いにこすれ合うことによって音が発生するので、電池等の部材を使用することなく、簡単な構成で音を発生させることができる。
特に、請求項３に記載の靴下にあっては、前記球状部材は合成樹脂製のビーズにより構成されているので、靴下の着用者、特に子どもが安全に使用することができる。
【００１５】
請求項４に記載の靴下にあっては、前記装飾部はぬいぐるみとして、前記靴下本体部の足指部の上面部近傍に配設され、前記足指部において前記装飾部の内部から音が発生するので、ぬいぐるみとして構成された前記装飾部が、前記靴下本体部の目立つ位置に配置されるので、外観品質に優れた靴下を提供することができる。
特に、請求項４に記載の靴下にあっては、ぬいぐるみとしての前記装飾部の内部から音が発生し、例えば、動物が鳴いているように認識させることができる。
【図面の簡単な説明】
【００１６】
【図１】図１は、本考案に係る靴下の一実施の形態を示す斜視図である。
【図２】図２は、本考案に係る靴下の一実施の形態において、装飾部の一部を露出させ、球状部材の収容状態を示す斜視図である。
【考案を実施するための最良の形態】
【００１７】
以下、添付図面に示す実施の形態に基づき、本考案を詳細に説明する。
図１及び図２に示すように、本考案の一実施の形態に係る靴下１０は、全体布製の子ども用靴下として構成され、靴下本体部１１と、靴下本体部１１の上面部１２に設けられた装飾部１３とを有している。
図２に示すように、本実施の形態に係る装飾部１３は内部に空洞部１４を有する袋状に形成され、空洞部１４には発音体１５が収容されている。
【００１８】
図２に示すように、本実施の形態に係る発音体１５は、合成樹脂製のビーズからなる複数の球状部材１６、１６・・・により構成され、複数の球状部材１６、１６・・・は互いにこすれ合うことにより音を発生させるように構成されている。
【００１９】
図１及び図２に示すように、本実施の形態に係る装飾部１３は、くまのぬいぐるみとして形成され、靴下本体部１１の足指部１７の上面部近傍に配設されている。
また、図１及び図２に示すように、本実施の形態に係る靴下１０にあっては、靴下本体部１１の足首部１８にリボンからなる第二装飾部１９が設けられている。
【００２０】
以下、本実施の形態に係る靴下１０の作用について、添付図面を用いて説明する。
図１及び図２に示すように、本実施の形態に係る靴下１０は、装飾部１３の空洞部１４に収容された発音体１５から音が発生するので、装飾部１３としての視覚的な訴求効果に加え、音による聴覚的な訴求効果も得られる。
また、本実施の形態に係る靴下１０にあっては、発音体１５は装飾部１３の内部に設けられた空洞部１４に収容されているので、発音体１５が装飾部１３から露出するといった事態を防止することができる。その結果、靴下の外観品質を向上させることができ、特に子ども用靴下として構成した場合には、子どもに対する訴求効果の大きい靴下を提供することができる。
【００２１】
また、図２に示すように、本実施の形態に係る靴下１０にあっては、複数の球状部材１６、１６・・・が互いにこすれ合うことによって音が発生するので、電池等の部材を使用することなく、簡単な構成で音を発生させることができる。
特に、本実施の形態に係る靴下１０にあっては、球状部材１６は合成樹脂製のビーズにより構成されているので、靴下の着用者、特に子どもが安全に使用することができる。
【００２２】
また、図１及び図２に示すように、本実施の形態に係る靴下１０にあっては、装飾部１３はぬいぐるみとして、靴下本体部１１の足指部１７の上面部近傍に配設され、足指部１７において装飾部１３の内部から音が発生するので、くまのぬいぐるみとして構成された装飾部１３が、靴下本体部１１の目立つ位置に配置されるので、外観品質に優れた靴下を提供することができる。
特に、図１及び図２に示すように、本実施の形態に係る靴下１０にあっては、くまのぬいぐるみとしての装飾部１３の内部から音が発生し、くまが鳴いているように認識させることができる。
【００２３】
本実施の形態に係る発音体１５は、合成樹脂製のビーズからなる複数の球状部材１６、１６・・・により構成され、複数の球状部材１６、１６・・・は互いにこすれ合うことにより音を発生させるように構成されている場合を例に説明したが、前記構成に限定されず、種々の発音体により構成することができる。
具体的には、発音体を笛やチャイムにより構成し、装飾部の外部から押したり揺らしたりすることで、本実施の形態と同様に、装飾部の内部から音が発生するように構成することができる。
また、発音体をビーズにより構成する場合において、合成樹脂製のビーズのほか、ガラス製、金属製のビーズからなる球状部材として構成し、本実施の形態と同様に、互いにこすれ合うことにより音を発生させるように構成することができる。
【００２４】
また、本実施の形態に係る装飾部１３はくまのぬいぐるみとして形成され、靴下本体部１１の足指部１７の上面部近傍に配設されている場合を例に説明したが、前記構成に限定されるものではない。
【産業上の利用可能性】
【００２５】
本考案は、靴下に広く適用可能であり、産業上利用可能性を有している。
【符号の説明】
【００２６】
１０：靴下
１１：靴下本体部
１２：上面部
１３：装飾部
１４：空洞部
１５：発音体
１６：球状部材
１７：足指部
１８：足首部
１９：第二装飾部
【図１】
0003206791.tif 000003
【図２】
0003206791.tif 000004